(57)【要約】【課題】２段かご式食器乾燥器の各食器かごから食器類を安全に取り出せるようにすることである。【解決手段】副食器かご３の金属製枠部材１４の両側長辺の後端部を曲げ加工して、副食器かご３中央側が開放されたコの字状の係止部１７を形成し、主食器かご２の後端側に横桟１３を有するかご支持部１２を設け、このかご支持部１２の横桟１３に副食器かご３の係止部１７を引っ掛け、副食器かご３の前端側を主食器かご２の枠部材８に載せて、副食器かご３を主食器かご２上にセットすることにより、副食器かご３が簡単に傾いたり外れたりしないようにして、各食器かご２、３から食器類を安全に取り出せるようにしたのである。【選択図】  図１
2004351075.tif 000002
【特許請求の範囲】
【請求項１】
前後方向に開閉自在な蓋を有する乾燥器本体を備え、前記蓋を全閉することにより形成される乾燥器本体内の乾燥室に主食器かごを配置し、この主食器かごの上に副食器かごを設けた食器乾燥器において、前記副食器かごの後端側に、かご中央側が開放されたコの字状の係止部を設け、前記主食器かごに、前記副食器かごの係止部を引っ掛ける横桟を有するかご支持部と、副食器かごの前端側を載せるかご載置部とを設けたことを特徴とする食器乾燥器。
【請求項２】
前記横桟を前記蓋の全開状態での前端位置よりも前方に設けて、前記蓋を全開にして前記副食器かごを前記横桟のまわりに回動させたときに、前記副食器かごがわずかに後方へ傾斜した状態で前記横桟と前記蓋の前端部とで支持されるようにしたことを特徴とする請求項１に記載の食器乾燥器。
【請求項３】
前記副食器かごが、平面形状が略矩形の金属製枠部材を有しており、この枠部材の左右の２辺の後端部を曲げ加工して、前記係止部を形成したことを特徴とする請求項１または２に記載の食器乾燥器。
【発明の詳細な説明】
【０００１】
【発明の属する技術分野】
この発明は、乾燥室に配置した食器かごの上にもう一つの食器かごを設けた２段かご式の食器乾燥器に関する。
【０００２】
【従来の技術】
一般に普及している食器乾燥器には、乾燥器本体内の乾燥室に配置した食器かご（主食器かご）の上に、もう一つの小型の食器かご（副食器かご）を設けることにより、乾燥器本体を大型化することなく、より多くの食器類を収容できるようにした２段かご式のものがある。このような２段かご式食器乾燥器では、副食器かごの着脱を容易にするために、副食器かごの下面側に複数の脚部を設け、これらの各脚部を主食器かごの枠部材や仕切部材の上端部に載せることにより、副食器かごを主食器かご上にセットするようにしたものが多い（例えば、特許文献１参照。）。
【０００３】
【特許文献１】
特開２００１−２９９６７１号公報（図１）
【０００４】
【発明が解決しようとする課題】
上述した従来の２段かご式の食器乾燥器では、副食器かごが主食器かごに載せられているだけなので、各食器かごから食器類を取り出すときに、手や食器類が副食器かごに引っ掛かると、副食器かごが簡単に持ち上がって、傾いたり主食器かごから外れたりすることがある。これにより、副食器かごに収納されていた食器類が、移動したり落下して破損する場合がある。また、主食器かごから外れて落下した副食器かごが、主食器かごに収納されている食器類を破損させるおそれもある。
【０００５】
そこで、この発明の課題は、２段かご式食器乾燥器の各食器かごから食器類を安全に取り出せるようにすることである。
【０００６】
【課題を解決するための手段】
上記の課題を解決するため、この発明は、前後方向に開閉自在な蓋を有する乾燥器本体を備え、前記蓋を全閉することにより形成される乾燥器本体内の乾燥室に主食器かごを配置し、この主食器かごの上に副食器かごを設けた食器乾燥器において、前記副食器かごの後端側に、かご中央側が開放されたコの字状の係止部を設け、前記主食器かごに、前記副食器かごの係止部を引っ掛ける横桟を有するかご支持部と、副食器かごの前端側を載せるかご載置部とを設けた構成を採用したのである。
【０００７】
すなわち、副食器かごの後端側にかご中央側が開放されたコの字状の係止部を設け、この係止部を主食器かごのかご支持部の横桟に引っ掛け、副食器かごの前端側を主食器かごのかご載置部に載せて、副食器かごを主食器かご上にセットするようにすることにより、手や食器類を副食器かごに引っ掛けても、副食器かごがコの字状の係止部で主食器かごのかご支持部に係止されて、簡単に傾いたり外れたりしないようにしたのである。
【０００８】
上記の構成において、前記横桟を前記蓋の全開状態での前端位置よりも前方に設けて、前記蓋を全開にして前記副食器かごを前記横桟のまわりに回動させたときに、前記副食器かごがわずかに後方へ傾斜した状態で前記横桟と前記蓋の前端部とで支持されるようにすれば、副食器かごを主食器かごから外さなくても、横桟のまわりに回動させるだけで、主食器かごの上方を開放して、主食器かごへの食器類の収納や取り出しが楽に行える状態とすることができる。
【０００９】
前記副食器かごが、平面形状が略矩形の金属製枠部材を有している場合は、この枠部材の左右の２辺の後端部を曲げ加工して、前記係止部を形成することができる。
【００１０】
【発明の実施の形態】
以下、図１乃至図３に基づき、この発明の実施形態を説明する。この食器乾燥器は、図１に示すように、前後方向に開閉自在な蓋５を有する乾燥器本体１を備え、蓋５を全閉することにより形成される乾燥器本体１内の乾燥室に主食器かご２を出し入れ自在に配置し、この主食器かご２の上に小型の副食器かご３を設けた２段かご式のもので、乾燥器本体１のケース４の中に、図示省略した送風機とヒータとからなる温風発生装置を内蔵している。
【００１１】
前記蓋５は、乾燥器本体１のケース４の左右両側に立設した蓋支持柱６に回動自在に取り付けられた前蓋５ａおよび中蓋５ｂと、ケース４後部に固定された後蓋５ｃとからなる。また、ケース４の上面には、主食器かご２を載せる受皿７が取り付けられ、受皿７取付位置よりも後方に温風吹出口４ａが形成されている。
【００１２】
従って、前蓋５ａおよび中蓋５ｂを前方へ回動させて蓋５を全閉し、乾燥器本体１内に乾燥室を形成した状態で、ケース４内の温風発生装置で発生させた温風を吹出口４ａから吹き出すことにより、乾燥室内の各食器かご２、３に収納した食器類を乾燥させることができる。なお、食器類から受皿７に滴下した水滴は、受皿７の排水口（図示省略）から排出される。
【００１３】
図２に示すように、前記主食器かご２は、平面形状が略矩形の金属製枠部材８の内側に、両端を上方に折り曲げた多数の金属製線材９、１０を縦横に所定の間隔で配列し、縦横の線材９、１０どうしをその交差点で溶接するとともに、各線材９、１０の折曲部上端を枠部材８に溶接したものである。主食器かご２の左右方向に配列された線材９は、両端の上方への折り曲げ以外にも部分的に曲げ加工を施され、寸法や形状の異なる食器類を効率よく収納できるようになっている。一方、主食器かご２の前後方向に比較的広い間隔で配列された線材１０には、両端の折曲部に環状の金属製線材１１が溶接され、主食器かご２側面から食器類が落下しにくくなっている。
【００１４】
また、主食器かご２の後端側には、副食器かご３の後端部を支持するためのかご支持部１２が設けられている。かご支持部１２は、金属線をＬ字状に折り曲げたもので、一端を枠部材８に、他端を縦横の線材９、１０の交差点の一つにそれぞれ溶接され、その水平部が後述するように副食器かご３の後端部を引っ掛けるための横桟１３となっている。ここで、横桟１３は、図１に示したように、蓋５を全開にした状態での前蓋５ａの前端位置よりも、少し前方（距離Ｌ）に設けられている。なお、このかご支持部１２は、主食器かご２の内側空間を仕切る仕切部材にもなり、主食器かご２の後部にまな板等を立てて収納できるようになっている。
【００１５】
一方、前記副食器かご３は、平面形状が略矩形で主食器かご２の枠部材８よりも小さい金属製枠部材１４の内側に、両端を上方に折り曲げた多数の金属製線材１５を副食器かご３の前後方向に所定の間隔で配列し、２本の真直な金属製線材１６を副食器かご３の左右両側端近傍に配して、縦横の線材１５、１６どうしをその交差点で溶接するとともに、前後方向に配列した線材１５の折曲部上端を枠部材１４に溶接したものである。前後に並ぶ線材１５の多くは、食器類を収納しやすいように曲げ加工した部分を有している。
【００１６】
また、副食器かご３の枠部材１４は、図１にも示したように、左右両側の長辺の前端部１４ａが、主食器かご２の枠部材８に載せられ、かつ副食器かご３の後方への移動を規制するように階段状に曲げ加工されている。すなわち、この例では、主食器かご２の枠部材８が、副食器かご３の前端側を載せるかご載置部の役割を果たしている。一方、枠部材１４の両側長辺の後端部は、副食器かご３中央側が開放されたコの字状に曲げ加工されて、主食器かご２のかご支持部１２の横桟１３に引っ掛けられる係止部１７となっている。
【００１７】
この食器乾燥器は、上記の構成であり、副食器かご３後端の係止部１７を主食器かご２のかご支持部１２の横桟１３に引っ掛け、副食器かご３の枠部材１４長辺の前端部１４ａを主食器かご２の枠部材８の手前側の長辺に載せて、副食器かご３を主食器かご２上にセットするようにしたので、各食器かご２、３から食器類を取り出すときに、手や食器類を副食器かご３に引っ掛けても、副食器かご３がその係止部１７で主食器かご２のかご支持部１２に係止されて、傾いたり外れたりしにくい。
【００１８】
また、図１および図３に示すように、蓋５を全開にして副食器かご３を横桟１３のまわりに回動させると、副食器かご３は、わずかに後方へ傾斜した状態で、その係止部１７が横桟１３から外れて、枠部材１４の両側長辺と最も後方の線材１５との接合位置周辺部で横桟１３に支持されるとともに、枠部材１４の両側長辺の真直部で前蓋５ａの前端部に支持されるようになる。従って、主食器かご２の、特に食器類を乾燥させるときには副食器かご３の下方となる部分へ、食器類を収納したり、この部分に収納した食器類を取り出したりする際に、副食器かご３を主食器かご２から外さなくても、横桟１３のまわりに回動させるだけで、主食器かご２の上方が開放され、食器類の出し入れが楽に行える状態となる。
【００１９】
さらに、この副食器かご３は、枠部材１４の曲げ加工により係止部１７を簡単に形成できるし、形状が前後で異なるため、セットするときに向きを間違えることもない。
【００２０】
上述した実施形態では、主食器かごの枠部材を副食器かごの前端側を載せるかご載置部として使用したが、枠部材と別体のかご載置部を主食器かごの前端部近傍に設けるようにしてもよい。この場合のかご載置部は、仕切部材ともなるように食器類の収納に都合のよい位置に設けるとよい。
【００２１】
また、副食器かごの前端部は、必ずしも階段状の部分を形成する必要はなく、主食器かごのかご載置部に載せられるようになっていればよい。一方、副食器かごの素材の弾性を利用して、前端部と後端側の係止部とで主食器かごのかご載置部とかご支持部の横桟を軽く挟み付けるようにすれば、副食器かごをさらに安定した状態にセットすることができる。
【００２２】
【発明の効果】
以上のように、この発明は、２段かご式食器乾燥器の副食器かごの後端側に、かご中央側が開放されたコの字状の係止部を設け、この係止部を主食器かごのかご支持部に引っ掛け、副食器かごの前端側を主食器かごのかご載置部に載せて、副食器かごを主食器かご上にセットするようにしたので、各食器かごから食器類を取り出すときに、副食器かごが簡単に傾いたり外れたりすることがなく、食器類の破損を防止することができる。
【図面の簡単な説明】
【図１】実施形態の食器乾燥器の側面断面図
【図２】図１の食器乾燥器の主食器かごおよび副食器かごの斜視図
【図３】図１の食器乾燥器の副食器かごを回動させた状態を示す要部の斜視図
【符号の説明】
１  乾燥器本体
２  主食器かご
３  副食器かご
４  ケース
４ａ  温風吹出口
５  蓋
５ａ  前蓋
５ｂ  中蓋
５ｃ  後蓋
６  蓋支持柱
７  受皿
８  枠部材
９、１０、１１  線材
１２  かご支持部
１３  横桟
１４  枠部材
１４ａ  長辺前端部
１５、１６  線材
１７  係止部
【図１】
2004351075.tif 000003
【図２】
2004351075.tif 000004
【図３】
2004351075.tif 000005